(57)【要約】【課題】筐体の小型化を阻害することなく、筐体を構成する第１ケースと第２ケースとの係合を確実に行える電子機器を提供すること。【解決手段】電子機器１は、第１ケース２２及び第２ケース２１を有し開口部２５が形成された筐体２と、本体部９１、及び本体部９１から延設される腕部９２、を有するカバー部材９０と、第１ケースの側面における開口部２５の近傍に設けられる第１係合爪２２１と、第２ケース２１に設けられ第１係合爪２２１に係合する第２係合爪２１１と、を備え、カバー部材９０の腕部９２は、第２係合爪２１１よりも筐体２の内部側に配置され、第１ケース２２における側面２２ａには、内面から突出し腕部９２の先端側に当接して腕部９２と第１ケース２２の側面２２ａとを離間させる規制リブ２９が設けられる。【選択図】図７
2009267724.tif 000002
【特許請求の範囲】
【請求項１】
第１ケース及び該第１ケースに結合される第２ケースを有すると共に側面に開口部が形成された筐体と、
前記開口部を覆う本体部、及び該本体部から延設され前記筐体の内部に挿入される腕部、を有するカバー部材と、
前記第１ケースの側面における前記開口部の近傍に設けられ、前記筐体の内部側に突出するように形成される第１係合部と、
前記第２ケースの側面における前記開口部の近傍に設けられ、前記第１係合部に係合して該第１係合部よりも前記筐体の内部側に配置される第２係合部と、を備え、
前記カバー部材の前記腕部は、前記第２係合部よりも前記筐体の内部側に配置され、
前記第１ケースにおける前記側面の内面には、該側面の内面から突出し前記腕部の先端側に当接して該腕部と前記第１ケースの側面とを離間させる凸部が設けられる電子機器。
【請求項２】
前記凸部は、前記第１ケースの厚さ方向において前記第１係合部と重なり合う位置に設けられる請求項１に記載の電子機器。
【請求項３】
前記凸部は、前記開口部からの距離が離れるにしたがって該凸部の突出長さが長くなる傾斜部を備える請求項１又は２に記載の電子機器。
【請求項４】
前記凸部の突出長さは、前記第１係合部の突出長さよりも長い請求項１から３のいずれか１項に記載の電子機器。
【請求項５】
前記カバー部材は、前記腕部の先端側に、前記第１ケースの側面側に向けて湾曲した湾曲部を備える請求項１から４のいずれか１項に記載の電子機器。
【発明の詳細な説明】
【技術分野】
【０００１】
本発明は、携帯電話機等の電子機器に関する。詳細には、筐体に設けられた開口部を覆うカバー部材を備えた電子機器に関する。
【背景技術】
【０００２】
近年、電子機器としての携帯電話機においては、その機能の高度化に伴い、携帯電話機を構成する筐体の内部に各種コネクタ（外部機器と接続するためのケーブルコネクタ、外部メモリ等を装着可能なカードコネクタ、イヤホンコネクタ等）が設けられている。また、筐体の内部には、回路基板、シールドケース等の内部部品が収納されている。コネクタ等の電子部品は、回路基板に実装されている。
筐体は、第１ケース及び第２ケースを備えており、これら第１ケースと第２ケースとが互いに結合されて構成されている。コネクタは、筐体に形成された開口部に対応して配置されており、該開口部を通じて筐体の外部に露出する。また、開口部は、カバー部材としてのキャップにより閉塞される。
【０００３】
筐体の開口部を閉塞するキャップとしては、各種形態があるが、例えば、開口部に嵌合される本体部と、本体部から延設される腕部とを有するキャップ（「腕部付きキャップ」ともいう）がある。腕部付きキャップによれば、腕部を筐体の内部に挿入配置し、腕部をスライド可能に保持する構造とすることにより、キャップが筐体にスライド可能に保持される。
【０００４】
このような腕部付きキャップを備える携帯電話機は、例えば以下のようにして組み立てられる。
まず、筐体を構成する第１ケースに回路基板等の内部部材を配置する。次に、内部部材が配置された第１ケースに、腕部付きキャップを、腕部が筐体の内側に位置し、本体部が筐体の外側に位置するように配置する。
その後、第１ケースに設けられた第１係合爪と、第２ケースに設けられた第２係合爪とを互いに係合させて、第１ケースと第２ケースとを結合する。
【０００５】
ところで、筐体の側面に開口部を有する携帯電話機では、開口部において筐体の側面が切り欠かれた状態となっている。そのため、筐体は、開口部の近傍における剛性が低下する。また、開口部に設けられたコネクタには、外部機器が着脱されるため、この外部機器の着脱により、互いに結合されている第１ケースと第２ケースとの係合が解かれて筐体が開いてしまう場合がある。
【０００６】
ここで、開口部の近傍における筐体の剛性を向上させ、外部機器の着脱による筐体の開放を防止するために、開口部の近傍に第１ケースと第２ケースとを結合する第１係合爪及び第２係合爪を設けると、筐体の内部に配置された腕部が、第２係合爪の第１係合爪への係合を妨げ、第１ケースと第２ケースとの結合を阻害する場合があった。
つまり、第１係合爪と第２係合爪とが係合する場合には、第２係合爪は、第１係合爪よりも筐体の内部側に配置されて係合する。この場合に、腕部付きキャップを備えた携帯電話機では、第２係合爪が配置される位置に腕部が配置されてしまうことで第２係合爪が所定の位置に配置できず、第１係合爪への係合が阻害される場合があった。
【０００７】
そこで、腕部が第２係合爪と第１係合爪との係合を阻害しないように、腕部を筐体の側面に対して略垂直に挿入配置させることで第１ケースの側面から離間させることが提案されている（例えば、特許文献１参照）。
【特許文献１】特開２００６−１０９０６１号公報
【発明の開示】
【発明が解決しようとする課題】
【０００８】
しかし、特許文献１で提案された携帯電話機では、腕部が筐体内に挿入配置された場合に、この腕部と接触するおそれのある位置に回路基板等の内部部材を配置できない。そのため、筐体内には、利用されない空間が生じてしまい、筐体の小型化が阻害されてしまうという問題があった。
また、腕部と第１係合爪とを筐体の厚さ方向に離間させて配置した場合には、筐体の厚みが増してしまい、筐体の小型化が阻害されてしまうという問題があった。
このように、従来提案された携帯電話機では、開口部の近傍に係合爪を設けた場合、腕部を、係合爪同士の係合を阻害しないように配置すると、筐体の小型化が阻害されてしまうという問題があった。
【０００９】
従って、本発明は、筐体の小型化を阻害することなく、筐体を構成する第１ケースと第２ケースとの係合を確実に行える電子機器を提供することを目的とする。
【課題を解決するための手段】
【００１０】
本発明は、第１ケース及び該第１ケースに結合される第２ケースを有すると共に側面に開口部が形成された筐体と、前記開口部を覆う本体部、及び該本体部から延設され前記筐体の内部に挿入される腕部、を有するカバー部材と、前記第１ケースの側面における前記開口部の近傍に設けられ、前記筐体の内部側に突出するように形成される第１係合部と、前記第２ケースの側面における前記開口部の近傍に設けられ、前記第１係合部に係合して該第１係合部よりも前記筐体の内部側に配置される第２係合部と、を備え、前記カバー部材の前記腕部は、前記第２係合部よりも前記筐体の内部側に配置され、前記第１ケースにおける前記側面の内面には、該側面の内面から突出し前記腕部の先端側に当接して該腕部と前記第１ケースの側面とを離間させる凸部が設けられる電子機器に関する。
【００１１】
また、前記凸部は、前記第１ケースの厚さ方向において前記第１係合部と重なり合う位置に設けられることが好ましい。
【００１２】
また、前記凸部は、前記開口部からの距離が離れるにしたがって該凸部の突出長さが長くなる傾斜部を備えることが好ましい。
【００１３】
また、前記凸部の突出長さは、前記第１係合部の突出長さよりも長いことが好ましい。
【００１４】
また、前記カバー部材は、前記腕部の先端側に、前記第１ケースの側面側に向けて湾曲した湾曲部を備えることが好ましい。
【発明の効果】
【００１５】
本発明によれば、筐体の小型化を阻害することなく、筐体を構成する第１ケースと第２ケースとの係合を確実に行える電子機器を提供できる。
【発明を実施するための最良の形態】
【００１６】
以下、本発明を実施するための好ましい一実施形態について、図面を参照しながら説明する。まず、本発明の電子機器の一実施形態である携帯電話機１の基本構造について、図１及び図２を参照しながら説明する。
【００１７】
図１は、本発明の一実施形態に係る携帯電話機１について、操作部側筐体２と表示部側筐体３とを開いた状態で示す斜視図である。図２は、図１に示す携帯電話機１を折り畳んだ状態で、表示部側筐体３のリアケース３０ｂ側から視た斜視図である。
【００１８】
携帯電話機１は、折り畳み型の携帯電話機１であり、略直方体形状の操作部側筐体２と、略直方体形状の表示部側筐体３と、操作部側筐体２と表示部側筐体３とを連結する連結部４と、を備える。
【００１９】
操作部側筐体２の上端部と表示部側筐体３の下端部とは、連結部４を介して開閉可能に連結されている。つまり、連結部４は、表示部側筐体３と操作部側筐体２とを開閉軸Ｐを中心に開閉可能に連結している。
携帯電話機１は、連結部４を介して連結された操作部側筐体２と表示部側筐体３とを相対的に回転（回動）することにより、操作部側筐体２と表示部側筐体３とを互いに開いた状態（開放状態）にしたり、操作部側筐体２と表示部側筐体３とを折り畳んだ状態（折畳み状態）にしたりできる。
【００２０】
表示部側筐体３は、図１及び図２に示すように、その外面が、フロントケース３０ａ及びリアケース３０ｂを主体として構成される。
【００２１】
表示部側筐体３の前面３ａは、フロントケース３０ａ及びフロントパネル３３を主体として構成されている。前面３ａは、携帯電話機１を折り畳んだ状態で操作部側筐体２と向かい合う面である。表示部側筐体３の背面３ｂは、リアケース３０ｂを主体として構成されている。背面３ｂは、前面３ａとは反対側の面である。
【００２２】
表示部側筐体３内には、各種情報を表示させるメイン液晶モジュール３４が配置されており、メイン液晶モジュール３４は、その一方の面に設けられたメイン表示部３４ａが、透明部分を主体とするフロントパネル３３を介して、フロントケース３０ａに形成された開口部から表示部側筐体３の前面３ａに露出するように配置されている。
【００２３】
また、フロントケース３０ａには、通話の相手側における音声を出力する音声出力部３１が形成されている。音声出力部３１は、表示部側筐体３の長手方向における連結部４とは反対の端部側に配置される。つまり、音声出力部３１は、携帯電話機１の開状態における表示部側筐体３側の端部近傍に配置される。
【００２４】
表示部側筐体３のリアケース３０ｂ側には、図２に示すように、各種情報を表示させるサブ液晶モジュール３６が配置されており、サブ液晶モジュール３６は、その一方の面に設けられたサブ表示部３６ａが、リアケース３０ｂの透明部分を介して表示部側筐体３の背面３ｂに露出するように配置されている。
【００２５】
メイン液晶モジュール３４及びサブ液晶モジュール３６は、それぞれ、メイン表示部３４ａ及びサブ表示部３６ａを構成する液晶パネル、この液晶パネルを駆動する駆動回路、この液晶パネルの背面側から光を照射するバックライト等の光源部等から構成される。
【００２６】
次に、操作部側筐体２について説明する。図３は、操作部側筐体２の分解斜視図である。
【００２７】
図１及び図３に示すように、操作部側筐体２は、その外面が第２ケースとしてのフロントケース２１及び第１ケースとしてのリアケース２２を主体として構成されている。フロントケース２１は、操作部側筐体２の前面２ａ側を構成する。操作部側筐体２の前面２ａは、携帯電話機１を折り畳んだ状態で表示部側筐体３と向かい合う面である。リアケース２２は、前面２ａと反対側の面である背面２ｂ側を構成する。
また、操作部側筐体２の側面２ｃには、開口部２５が形成されている（図３参照）。開口部２５は、カバー部材としてのキャップ９０により閉塞される。キャップ９０及び開口部２５近傍の構造については、後述する。
【００２８】
図１に示すように、フロントケース２１は、操作キー群１１が前面２ａに露出するように構成されている。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。
【００２９】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００３０】
操作部側筐体２の前面２ａには、携帯電話機１の使用者が通話時に発した音声が入力される音声入力部１２が形成されている。音声入力部１２は、操作部側筐体２の長手方向における連結部４とは反対側の端部近傍に配置される。つまり、音声入力部１２は、携帯電話機１の開状態において長手方向の一方の端部側に配置される。
【００３１】
フロントケース２１とリアケース２２との間には、フロントケース２１側から順に、キーシート５０と、フレキシブル配線基板６０と、縦長のシールドケース７０と、回路基板８０と、バッテリＱと、が、積層配置されて内蔵される（図３参照）。
【００３２】
回路基板８０の上面８０ａ側（操作部側筐体２の前面２ａ側）及び下面８０ｂ側（操作部側筐体２の背面２ｂ側）には複数の電子部品８１が実装されている。複数の電子部品８１は、所定の組み合わせにより回路ブロック（図示せず）等を形成する。各種の電子部品８１のうち、開口部２５に対向して配置される部品を「第１電子部品８１ａ」という。
回路基板８０の所定箇所には、基準電位パターン層（図示せず）が設けられている。基準電位パターン層は、例えば、回路基板８０の下面８０ｂにおける側縁部近傍に設けられている。
【００３３】
シールドケース７０は、回路基板８０の上面８０ａ側に実装された複数の電子部品８１を覆う部材である。シールドケース７０は、導電性の部材からなり、回路基板８０における回路ブロックを遮蔽するために設けられる。また、シールドケース７０は操作部側筐体２の強度を向上させる役目も果たす。
シールドケース７０は、強度を確保する観点から金属から形成されていることが好ましいが、インサート成形により部分的に合成樹脂から形成することもできる。
【００３４】
フレキシブル配線基板６０は、シールドケース７０の上面７０ａ側に積層配置され、複数のキースイッチ６１〜６３を有する。フレキシブル配線基板６０は、複数の絶縁層（絶縁フィルム）の間に配線を挟み込んで形成されている。フレキシブル配線基板６０は、キーシート５０側に、キートップとしての機能設定操作キー１３、入力操作キー１４及び決定操作キー１５にそれぞれ対応して、複数のキースイッチ６１、６２、６３を備える。キースイッチ６１、６２、６３は、椀状に湾曲して立体的に形成された金属板のメタルドームを有する。メタルドームは、その椀状形状の頂点が押圧されると、フレキシブル配線基板６０の表面に印刷された電気回路（図示せず）に形成されるスイッチ端子に接触して、電気的に導通するように構成される。
【００３５】
キーシート５０は、フレキシブル配線基板６０に積層配置され、複数のキースイッチ６１、６２、６３を押圧可能な押し子と、操作面を有するキートップとが、弾性を有するシリコン等で構成されたシートに設けられて構成されている。
キーシート５０は、シリコンゴム製の基体シート５１の表面に操作キー群１１のキートップが接着剤により貼り付けられて構成される。キーシート５０における操作キー群１１を構成する機能設定操作キー１３、入力操作キー１４及び決定操作キー１５は、フレキシブル配線基板６０におけるキースイッチ６１、６２、６３と対向する位置に配置されると共に、フロントケース２１に形成されるキー孔１３ａ、１４ａ、１５ａから露出するように配置される。
【００３６】
フロントケース２１における操作部側筐体２の前面２ａ側には、キー孔１３ａ、１４ａ、１５ａが形成されている。キー孔１３ａ、１４ａ、１５ａのそれぞれからは、機能設定操作キー１３の押圧面、入力操作キー１４の押圧面、及び決定操作キー１５の押圧面が露出する。この露出した機能設定操作キー１３の押圧面、入力操作キー１４の押圧面及び決定操作キー１５の押圧面を押し下げるように押圧することで、対応するキースイッチ６１、６２、６３それぞれに設けられるメタルドームにおける椀状形状の頂点は、押圧されて、スイッチ端子に接触して電気的に導通する。
【００３７】
リアケース２２は、回路基板８０の下面８０ｂ側に配置される。
リアケース２２には、その厚み方向（背面２ｂから前面２ａに向かう方向）に貫通したバッテリ収納空間２３が形成されており、このバッテリ収納空間２３にバッテリＱが収納される。
バッテリ収納空間２３の背面２ｂ側は、リアケース２２と取り外し可能な蓋部２４によって開放又は封鎖自在となっている。
バッテリＱは、リアケース２２のバッテリ収納空間２３に背面２ｂ側から収納され、バッテリ収納空間２３が蓋部２４によって封鎖されることにより、操作部側筐体２に装着される。
【００３８】
フロントケース２１とリアケース２２とは、互いの凹状の内側面が向き合うように配置され、互いの外周縁が重なり合うようにして結合される。リアケース２２には、操作部側筐体２の内部側に突出するように形成された複数のリアケース側係合爪２２０が設けられており、フロントケース２１には、複数のリアケース側係合爪２２０それぞれに係合可能な複数のフロントケース側係合爪２１０が設けられている。
フロントケース２１とリアケース２２とは、複数のフロントケース側係合爪２１０それぞれが、複数のリアケース側係合爪２２０それぞれよりも操作部側筐体２の内部側に配置された状態で、これら複数のリアケース側係合爪２２０に係合して結合される（図１０参照）。
【００３９】
次に、携帯電話機１における開口部２５及びキャップ９０近傍の構造について、図４から図１０等を参照しながら説明する。図４は、リアケース２２に回路基板８０が配置された状態を示す斜視図であり、図５は、図４の部分拡大図である。
【００４０】
図６は、リアケース２２に、回路基板８０及びキャップ９０が配置された状態を示す斜視図である。図７は、図６の部分拡大図である。図８は、図６のＡ−Ａ線断面図である。図９は、キャップ９０を示す斜視図である。図１０は、図１のＢ−Ｂ線断面図であり、リアケース２２とフロントケース２１とが結合されて操作部側筐体２が組み立てられた状態を示す図である。
【００４１】
図３及び図４に示すように、操作部側筐体２の側面２ｃには、リアケース２２の側面２２ａの一部が切り欠かれて形成された開口部２５が設けられている。
また、操作部側筐体２の側面２ｃの内部には、第１電子部品であるコネクタ８１ａが配置される。コネクタ８１ａは、回路基板８０の下面８０ｂ側（操作部側筐体２の背面２ｂ側）に実装されている。コネクタ８１ａは、開口部２５に対向して配置されており、開口部２５を通じて露出している。
【００４２】
図６及び図７に示すように、開口部２５は、キャップ９０により覆われる。つまり、キャップ９０は、開口部２５に嵌合して開口部２５を閉塞し、コネクタ８１ａが操作部側筐体２の外部に露出しないようにする。また、キャップ９０は、図示はしないが、開口部２５に嵌合しない状態にすることも可能である。この場合には、コネクタ８１ａは開口部２５を通じて操作部側筐体２の外部に露出する。
【００４３】
図９に示すように、キャップ９０は、開口部２５に嵌合される本体部９１と、本体部９１から延設される腕部９２と、を備える。
本体部９１は、操作部側筐体２の開口部２５に嵌合し得る形状及び大きさを有する略矩形板状の部材からなる。
腕部９２は、弾性変形可能な略矩形板状の部材からなり、本体部９１の長手方向における一端側から、図６、図７、図９等に示すＸ１方向に延設される。腕部９２の基端９２ｂ側は、Ｙ２方向に屈曲して本体部９１の内面（コネクタ８１ａ側の面）に連結している。腕部９２の先端９２ａ側は、Ｙ２方向側に向けて湾曲している。
また、腕部９２の先端部には、Ｙ１方向及びＹ２方向に突出して幅広となった係合突起９３が設けられている。
【００４４】
ここで、「Ｘ１方向」とは、本体部９１の長手方向に沿う方向のうち、腕部９２の基端９２ｂ側から先端９２ａ側に向かう方向である。「Ｘ２方向」とは、Ｘ１方向とは反対向きの方向である。Ｘ１方向及びＸ２方向を合わせて「Ｘ方向」という。
【００４５】
「Ｙ１方向」とは、本体部９１に対して略垂直に延びる方向のうち、本体部９１から操作部側筐体２の内部に向かう方向である。「Ｙ２方向」とは、Ｙ１方向とは反対向きの方向である。Ｙ１方向及びＹ２方向を合わせて「Ｙ方向」という。
【００４６】
図４及び図５に示すように、リアケース２２の側面２２ａにおける開口部２５近傍のＸ１方向側には、操作部側筐体２の内部側（Ｙ１方向側）に突出するように形成される第１係合部としての第１係合爪２２１が設けられている。この第１係合爪２２１は、複数のリアケース側係合爪のうちの１つである。
また、フロントケース２１の側面２１ａにおける開口部２５近傍には、第１係合爪２２１よりも操作部側筐体２の内部側に配置されて第１係合爪２２１と係合する第２係合部としての第２係合爪２１１が設けられている（図３及び図１０参照）。この第２係合爪２１１は、複数のフロントケース側係合爪のうちの１つである。
【００４７】
図４から図８に示すように、リアケース２２の内部には、リアケース２２における側面２２ａの内面から突出して腕部９２をリアケース２２の側面２２ａから離間させる凸部である規制リブ２９が設けられる。
規制リブ２９は、図８に示すように、リアケース２２の厚さ方向において第１係合爪２２１と重なり合う位置に設けられる。詳細には、第１係合爪２２１は、リアケース２２の側面２２ａにおける上縁に設けられており、規制リブ２９は、リアケース２２の側面２２ａにおける底面近傍に設けられている。そして、第１係合爪２２１と規制リブ２９とは、リアケース２２の厚さ方向に互いに離間して設けられている。
【００４８】
規制リブ２９の突出長さＬ１は、第１係合爪２２１の突出長さＬ２よりも長い。つまり、規制リブ２９の先端は、第１係合爪の先端部よりも操作部側筐体２の内部側（Ｙ１方向側）に位置する。
【００４９】
また、図５に示すように、規制リブ２９は、開口部２５側の側面に開口部２５からの距離が離れるにしたがって規制リブ２９の突出長さが長くなる傾斜部２９１を備えている。
本実施形態においては、規制リブ２９は、平面視で略三角形状を有している（図５参照）。
【００５０】
図７に示すように、キャップ９０の腕部９２は、操作部側筐体２の内部において、開口部２５からＸ１方向側に延びて配置される。また、キャップ９０の本体部９１が開口部２５に嵌合された状態では、操作部側筐体２の内部に挿入配置された腕部９２は、その先端９２ａ側が規制リブ２９に当接する。
【００５１】
また、リアケース２２における第１係合爪２２１の内部側（Ｙ１方向側）には、腕部９２が配置されない空間１００が形成される（図７参照）。
そして、腕部９２は、リアケース２２とフロントケース２１が結合された状態で、第２係合爪２１１よりも操作部側筐体２の内部側（Ｙ１方向側）を操作部側筐体２の側面に沿うように配置される（図１０参照）。
【００５２】
図５に示すように、リアケース２２における開口部２５の近傍には、腕部９２をＸ方向にスライド可能に保持する第１保持部材２７及び第２保持部材２８が設けられる。第１保持部材２７及び第２保持部材２８は、腕部９２を挟み込んでＸ方向にスライド可能に保持すると共に（図７参照）、キャップ９０を引き出したときに、腕部９２の係合突起９３の突き当て部として（換言すると、腕部９２の抜け止めとして）機能する（図示せず）。
【００５３】
続いて、本実施形態の携帯電話機１の操作部側筐体２を組み立てる手順について説明する。
まず、図４に示すように、操作部側筐体２を構成するリアケース２２に回路基板８０等の内部部材を配置する。ここで、第１電子部品８１ａを、開口部２５に対向するように配置する。
【００５４】
次に、図６に示すように、内部部材が配置されたリアケース２２に、キャップ９０を配置する。キャップ９０は、本体部９１がリアケース２２の外側で開口部２５を閉塞し、腕部９２がリアケース２２の内側に位置するように配置する。
ここで、腕部９２の先端９２ａ側は、リアケース２２の側面２２ａから突出する規制リブ２９に当接するので、腕部９２のリアケース２２の側面２２ａ側への移動が規制される（図７参照）。言い換えると、腕部９２は、リアケース２２の側面２２ａからＹ１方向に離間した状態で維持される。
【００５５】
また、規制リブ２９の突出長さＬ１は、第１係合爪２２１の突出長さＬ２よりも長いので、第１係合爪２２１と腕部９２とは、平面視において所定の長さ離間する。つまり、リアケース２２における第１係合爪２２１の内部側には、腕部９２が配置されない空間１００が形成される（図７参照）。
【００５６】
また、腕部９２の先端９２ａ側は、本発明の湾曲部となる部分であり、リアケース２２の側面２２ａ側（Ｙ２方向側）に向かって湾曲している。これにより、規制リブ２９と腕部９２との間のクリアランスを小さくすることができる。即ち、腕部９２の、規制リブ２９以降のＸ１方向に向かう部分は、腕部９２の先端９２ａがリアケース２２の側面２２ａ側に向かって湾曲しているため、この先端９２ａと規制リブ２９との間のクリアランスを小さくすることができる。
【００５７】
次に、図１０に示すように、リアケース２２に設けられた第１係合爪２２１と、フロントケース２１に設けられた第２係合爪２１１とを互いに係合させて、リアケース２２とフロントケース２１とを結合し操作部側筐体２を組み立てる。ここで、フロントケース２１の第２係合爪２１１は、第１係合爪２２１の内部側（Ｙ１方向側）に形成される腕部９２が配置されない空間１００に配置されて、第１係合爪２２１に係合する。
【００５８】
本実施形態によれば、リアケース２２における開口部２５の近傍に第１係合爪２２１を設けると共に、リアケース２２の側面２２ａの内面から突出して腕部９２の先端９２ａ側に当接する規制リブ２９を設けた。
これにより、腕部９２をリアケース２２の側面２２ａに沿うように配置しても、リアケース２２における第１係合爪２２１の内部側に腕部９２が配置されない空間１００が形成される。よって、この空間１００に第２係合爪２１１を配置して第１係合爪２２１と確実に係合させられる。その結果、操作部側筐体２の小型化を阻害することなく、操作部側筐体２を構成するリアケース２２とフロントケース２１との係合を確実に行える。
【００５９】
また、規制リブ２９を、リアケース２２の厚さ方向において第１係合爪２２１と重なり合う位置に設けた。これにより、腕部９２は、少なくとも第１係合爪２２１が設けられた位置において、リアケース２２の側面２２ａから離間するので、第１係合爪２２１の内部側（Ｙ１方向側）には、腕部９２が配置されない空間１００が形成される。よって、この空間１００に第２係合爪２１１を配置して第１係合爪２２１と係合させられるので、リアケース２２とフロントケース２１との係合をより確実に行える。
【００６０】
また、腕部９２の先端９２ａ側を、リアケース２２の側面２２ａ側（Ｙ２方向側）に湾曲させた。これにより、腕部９２と第１係合爪２２１との間に形成される空間１００がより広くなる。よって、この空間１００に第２係合爪２１１を配置して第１係合爪２２１と係合させられるので、リアケース２２とフロントケース２１との係合をより確実に行える。
【００６１】
また、規制リブ２９の突出長さＬ１を第１係合爪２２１の突出長さＬ２よりも長く構成した。これにより、第１係合爪２２１の内部側（Ｙ１方向側）には、腕部９２が配置されない空間１００が形成される。よって、この空間１００に第２係合爪２１１を配置して第１係合爪２２１と係合させられるので、リアケース２２とフロントケース２１との係合をより確実に行える。
【００６２】
また、規制リブ２９の開口部２５側の側面に、開口部２５からの距離が離れるにしたがって規制リブの突出長さが長くなる傾斜部２９１を設けた。これにより、腕部９２が操作部側筐体２の内部に挿入されて規制リブ２９に当接した場合に、腕部９２の先端９２ａ側を、傾斜部２９１に沿って操作部側筐体２の内部に案内できる。よって、規制リブ２９の存在により腕部９２の挿入が阻害されない。
【００６３】
また、リアケース２２とフロントケース２１とを結合させる第１係合爪２２１及び第２係合爪２１１をそれぞれ開口部２５の近傍に設けた。これにより、開口部２５の近傍における操作部側筐体２の剛性が向上すると共に、外部機器の着脱により操作部側筐体２が開放しにくくなる。
【００６４】
以上、本発明の一実施形態について説明したが、本発明は前述した実施形態に制限されるものではなく、適宜変更が可能である。
例えば、本実施形態では、リアケース２２の厚さ方向において、規制リブ２９と第１係合爪２２１とを重なり合うように配置したが、これに制限されず、規制リブと第１係合爪とを、リアケースの長手方向にずらして配置してもよい。
【００６５】
また、本実施形態では、規制リブ２９を設けて腕部９２とリアケース２２の側面２２ａとを離間させたが、これに限らず、規制リブを設けずに、腕部の先端９２ａ側をリアケースの側面側に湾曲させることのみによって、腕部９２とリアケース２２の側面２２ａとを離間させてもよい。
また、本実施形態においては、本発明を操作部側筐体２に適用しているが、これに制限されず、例えば表示部側筐体３に適用してもよい。
【００６６】
本実施形態における連結部４は、表示部側筐体３と操作部側筐体２とを開閉軸Ｐを中心に開閉可能に連結しているが、連結部４は、表示部側筐体３と操作部側筐体２とを開閉軸Ｐを中心に開閉可能に連結すると共に、開閉軸Ｐに直交する回動軸を中心に回動可能に連結するいわゆる２軸ヒンジ機構を備えていてもよい。
【００６７】
また、本発明の電子機器は、前記実施形態のような折り畳み式ではなく、操作部側筐体２と表示部側筐体３とを重ね合わせた状態から一方の筐体を一方向にスライドさせるようにしたスライド式の電子機器であってもよい。また、操作部側筐体２と表示部側筐体３との重ね合せ方向に沿う軸線を中心に一方の筐体を回転させるようにした回転式（リボルバ）の電子機器であってもよい。
【００６８】
本発明は、携帯電話機以外の携帯電子機器に適用することができ、また携帯電子機器以外の電子機器にも適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
【００６９】
更に、携帯電子機器以外の電子機器としては、例えば、電子辞書、電卓、電子手帳、デジタルカメラ、ビデオカメラ、ラジオ等が挙げられるが、これらのみに限定されるものではない。
【図面の簡単な説明】
【００７０】
【図１】本発明の一実施形態に係る携帯電話機について、操作部側筐体と表示部側筐体とを開いた状態で示す斜視図である。
【図２】図１に示す携帯電話機を折り畳んだ状態で、表示部側筐体のリアケース側から視た斜視図である。
【図３】操作部側筐体の分解斜視図である。
【図４】リアケースに回路基板が配置された状態を示す斜視図である。
【図５】図４の部分拡大図である。
【図６】リアケースに、回路基板及びキャップが配置された状態を示す斜視図である。
【図７】図６の部分拡大図である。
【図８】図６のＡ−Ａ線断面図である。
【図９】キャップを示す斜視図である。
【図１０】図１のＢ−Ｂ線断面図であり、リアケース２２とフロントケース２１とが結合されて操作部側筐体２が組み立てられた状態を示す図である。
【符号の説明】
【００７１】
１  携帯電話機（電子機器）
２  操作部側筐体（筐体）
２ｃ  側面
３  表示部側筐体
４  連結部
２１  フロントケース（第２ケース）
２２  リアケース（第１ケース）
２２ａ  側面
２５  開口部
２９  規制リブ（凸部）
９０  キャップ（カバー部材）
９１  本体部
９２  腕部
９２ａ  先端（湾曲部）
２１１  第２係合爪（第２係合部）
２２１  第１係合爪（第１係合部）
２９１  傾斜部
【図１】
2009267724.tif 000003
【図２】
2009267724.tif 000004
【図３】
2009267724.tif 000005
【図４】
2009267724.tif 000006
【図５】
2009267724.tif 000007
【図６】
2009267724.tif 000008
【図７】
2009267724.tif 000009
【図８】
2009267724.tif 000010
【図９】
2009267724.tif 000011
【図１０】
2009267724.tif 000012